(57)【特許請求の範囲】
【請求項１】
ロールペーパーの一端が載置されるベース部と、
前記ベース部の内面から突出して前記ロールペーパーの一端側の巻芯に挿入される下側ロールペーパー保持部と、
前記ロールペーパーの軸方向に延び、自身の一端が前記ベース部に接続される本体部と、
前記本体部の他端に接続されて前記ロールペーパーの他端側に対向するトップ部と、
前記トップ部に接続されて前記ベース部側に向かって弾性変形可能に延び、前記ロールペーパーの他端側の巻芯に挿入される上側ロールペーパー保持部と、を備え、
前記軸方向に見て、前記本体部は前記ロールペーパー側に向かって凸状に湾曲し、
前記軸方向に見て、前記上側ロールペーパー保持部の先端から前記トップ部の内面までの長さが、前記下側ロールペーパー保持部の長さより長く、
前記軸方向を上下に向けつつ前記ベース部を下側にして設置されるロールペーパーホルダ。
【請求項２】
前記軸方向に沿って、前記上側ロールペーパー保持部の先端から前記トップ部の内面までの長さが、前記トップ部の内面と前記ベース部の内面との間隔の１／２以上である請求項１記載のロールペーパーホルダ。
【請求項３】
前記上側ロールペーパー保持部の先端を、前記軸方向に垂直な方向に３０ｍｍ弾性変形させるときの応力が１〜６Ｎである請求項１又は２記載のロールペーパーホルダ。
【請求項４】
樹脂で一体成形されてなる請求項１〜３のいずれかに記載のロールペーパーホルダ。
【発明の詳細な説明】
【技術分野】
【０００１】
本発明は、キッチンタオル等のロールペーパーを収納するロールペーパーホルダに関する。
【背景技術】
【０００２】
ロール状に巻き取られたキッチンタオルはキッチンやリビングで広く使われている。このキッチンタオルは、壁面に取り付けられた略箱型のディスペンサーに収納され、タオルを引出してミシン目でカットして使用するようになっている。
又、キッチンタオルを横向き(ロールの軸を水平方向)にして２つ割りの半円筒状の容器内に収納した後に容器を閉じ、使用時に容器を開けてキッチンタオルを引き出すようにしたホルダが開発されている（特許文献１参照）。
さらに、キッチンタオルを縦向きにし、台座上に直立させた軸にタオルの巻芯を挿し込むスタンド型のホルダが開発されている（特許文献２参照）。
【先行技術文献】
【特許文献】
【０００３】
【特許文献１】特開２００７−４４３６１号公報
【特許文献２】実開昭６２−６６５９０号公報
【発明の概要】
【発明が解決しようとする課題】
【０００４】
しかしながら、略箱型のディスペンサーは重く占有空間も大きいと共に、壁面にビス止めするなどの設置に手間がかかるという問題がある。
又、特許文献１記載のホルダは、ロールを横向きに容器内に設置しているため、タオルをミシン目でカットする方向が引出し方向と一致し、ロールをしっかりと押さえないとカットしにくいという問題がある。
一方、特許文献１記載のホルダの場合、タオルの巻芯を支える軸を台座にネジ止めする必要があり、キッチンタオルの取付けが面倒となる。又、種々の幅のキッチンタオルに対応することができず、１種類の幅のキッチンタオルを取り付けることしかできない。
すなわち、本発明は、キッチンタオル等のロールペーパーを縦置きにして設置スペースを低減すると共に、ロールペーパーのカットがし易く、ロールペーパーの取付けが容易なロールペーパーホルダの提供を目的とする。
【課題を解決するための手段】
【０００５】
上記課題を解決するため、本発明のロールペーパーホルダは、ロールペーパーの一端が載置されるベース部と、前記ベース部の内面から突出して前記ロールペーパーの一端側の巻芯に挿入される下側ロールペーパー保持部と、前記ロールペーパーの軸方向に延び、自身の一端が前記ベース部に接続される本体部と、前記本体部の他端に接続されて前記ロールペーパーの他端側に対向するトップ部と、前記トップ部に接続されて前記ベース部側に向かって弾性変形可能に延び、前記ロールペーパーの他端側の巻芯に挿入される上側ロールペーパー保持部と、を備え、前記軸方向に見て、前記本体部は前記ロールペーパー側に向かって凸状に湾曲し、前記軸方向に見て前記上側ロールペーパー保持部の長さが前記下側ロールペーパー保持部の長さより長く、前記軸方向を上下に向けつつ前記ベース部を下側にして設置される。
このような構成とすると、キッチンタオル等のロールペーパーを縦置きにして設置スペースを低減する。さらに、ロールペーパーを縦置きにすれば、引き出したペーパーを下方向に引いてミシン目で切断する形となるので切断力がペーパー上部に集中し、ロール端面に手を添えるだけで比較的小さな力で切断でき、ロールペーパーのカットがし易くなる。又、ロールペーパーの巻芯を下方向から上側ロールタオル保持部に挿入するだけでロールペーパーを容易に取付けることができる。
さらに、上側ロールタオル保持部はロールペーパーの巻芯によって外側（本体部と反対側）に広げられ、弾性力によって反発してロールペーパーの巻芯を本体部側に押圧するように撓む。その結果、上側ロールタオル保持部がロールペーパーの外面を本体部に押し付けるので、ロールペーパーをミシン目でカットする際にロールペーパーが回転し難く、ロールペーパーを押さえなくともカットがし易い。
又、この湾曲部がロールペーパーに接するので、ロールペーパーを押さえる効果が大きいと共に、使用によりロールペーパーが小径となっても確実にロールペーパーを湾曲部で押さえることができる。
【０００７】
前記軸方向に沿って、前記上側ロールペーパー保持部の先端から前記トップ部の内面までの長さが、前記トップ部の内面と前記ベース部の内面との間隔の１／２以上であるとよい。
このような構成とすると、ロールペーパーホルダの上下方向の内面の間隔よりやや短い軸長を有するロールペーパーから、上側ロールタオル保持部の先端とベース部の内面との間隔よりやや軸長の長いロールペーパーまで、種々の軸長のロールペーパーを１つのロールペーパーホルダで取り付けることができる。
【０００８】
前記上側ロールペーパー保持部の先端を、前記軸方向に垂直な方向に３０ｍｍ弾性変形させるときの応力が１〜６Ｎであるとよい。
このような構成とすると、上側ロールペーパー保持部を撓ませ易いと共に、適度な弾性力でロールペーパーの外面を本体部に押し付けることができる。
【０００９】
本発明のロールペーパーホルダが樹脂で一体成形されてなると、製造が容易となると共に、種々のデザインを採用できる。
【発明の効果】
【００１０】
この発明によれば、キッチンタオル等のロールペーパーを縦置きにして設置スペースを低減すると共に、ロールペーパーのカットがし易く、ロールペーパーの取付けが容易なロールペーパーホルダが得られる。
【図面の簡単な説明】
【００１１】
【図１】本発明の実施形態に係るロールペーパーホルダの斜視図である。
【図２】ロールペーパーホルダの側面図である。
【図３】ロールペーパーホルダにロールペーパーを収納する（取り付ける）態様を示す図である。
【図４】ロールペーパーをロールペーパーホルダに収納した状態を示す斜視図である。
【図５】ロールペーパーホルダの底面図である。
【図６】可倒式の下側ロールタオル保持部を示す部分側面図である。
【発明を実施するための形態】
【００１２】
以下、本発明の実施形態について説明する。
図１は、本発明の実施形態に係るロールペーパーホルダ１００の斜視図を示す。ロールペーパーホルダ１００はＡＢＳ樹脂等の樹脂を一体成形してなり、略板状のベース部１０と、ベース部１０の内面１０ａから上方に突出する略半円筒状の下側ロールタオル保持部１５と、上下方向に細長く延び、自身の一端１２ａがベース部１０に接続される略板状の本体部１２と、本体部１２の他端１２ｂに接続される略台形状のトップ部１４と、トップ部１４に接続されてベース部１０側に向かって弾性変形可能に延びる略板状の上側ロールタオル保持部１６と、を備えている。
なお、後述するように、本発明においては、本体部１２が延びる方向（上下方向）に、ロールペーパーの軸を沿わせて（縦向きに）ロールペーパーホルダ１００に収納する。従って、本体部１２が延びる方向（図１の上下方向）を、「ロールペーパーの軸方向」とする。
【００１３】
ここで、ベース部１０とトップ部１４とは、本体部１２の同一面側からそれぞれ水平に突出するように接続され、側面から見たとき、ベース部１０及びトップ部１４が本体部１２を挟んでコの字状をなしている（図２参照）。又、上側ロールタオル保持部１６は、トップ部１４のうち本体部１２に接続された部位と反対側に接続されている。従って、側面から見たとき、本体部１２及び上側ロールタオル保持部１６がトップ部１４を挟んで逆Ｊの字状をなしている（図２参照）。
さらに、この実施形態では、本体部１２の上下方向の所定位置に取付穴１２ｈが開口しており、この取付穴１２ｈにゴム製の吸盤２０がそれぞれ取り付けられている。そして、本体部１２の長手方向を上下方向に向けた状態で、吸盤２０を壁面等の垂直面に吸着させることで、ロールペーパーホルダ１００を設置することができる。
【００１４】
正面方向から見て、本体部１２は上下方向の中央部１２ｃで最も幅狭となっている。又、図２に示すように、側面から見たとき、本体部１２はロールペーパー側に向かって凸状に湾曲しており、上下方向の中央部１２ｃが最もロールペーパーに近接し、端部１２ａ、１２ｂに向かってロールペーパーから離間している。
ベース部１０は、本体部１２から突き出す側の両端部が角を丸められた形状をなし、下側ロールタオル保持部１５はベース部１０からわずかに突出（この例では突出高さＬ５(図２)が約１０ｍｍ）している。
又、正面方向から見て、上側ロールタオル保持部１６は先端１６ａが半円形となる細長い舌片状に形成されている。又、図２に示すように、側面から見たとき、上側ロールタオル保持部１６は、トップ部１４から外側に膨らむ円弧状に立ち下がりつつ、本体部１２の中央部１２ｃに向かって湾曲し、先端１６ａがほぼ中央部１２ｃに対向するようになっている。さらに、先端１６ａは本体部１２側に向かって球状に膨らむ窪みとなっていて、後述するロールペーパーの巻芯に先端１６ａがスムースに接することが可能になっている。
なお、上下方向に沿って、上側ロールタオル保持部１６の長さ（図２のＬ１）は、下側ロールタオル保持部１５の長さＬ５より長い。
【００１５】
図２は、ロールペーパーホルダ１００の側面図である。上下方向に沿い、上側ロールペーパー保持部１６の先端１６ａからトップ部１４の内面１４ａまでの長さＬ１が、トップ部１４の内面１４ａとベース部１０の内面１０ａとの間隔Ｌ２の１／２以上になっている。この理由については後述する。
又、上下方向に沿い、上側ロールタオル保持部１６と下側ロールタオル保持部１５とは間隔を有している。さらに、上側ロールタオル保持部１６は本体部１２に対して接近及び離間する方向（図２の左右方向、矢印参照）に弾性変形可能である。
【００１６】
次に、図３を参照し、ロールペーパーホルダ１００にロールペーパー２００を収納する（取り付ける）態様について説明する。
まず、上側ロールタオル保持部１６と下側ロールタオル保持部１５との間に、ロールペーパー２００の上端２００ａを斜めに入れ、ロールペーパー２００の巻芯２００ｃを上側ロールタオル保持部１６の先端１６ａに挿入する(図３（ａ）)。このとき、上側ロールタオル保持部１６が本体部１２から離間するように弾性変形してロールペーパー２００を挿入し易くする(図３（ａ）の矢印)。
ロールペーパー２００としては、紙管の周りにシートを巻回したコアロールと、紙管を用いずに中心までシートを巻回し、中心部分を空洞としたコアノンロールのいずれも用いることができる。
【００１７】
次に、ロールペーパー２００を上方に移動させて上側ロールタオル保持部１６の根元まで（トップ部１４の内面１４ａに当接するまで）巻芯２００ｃを挿入する。このとき、ロールペーパー２００の軸方向の長さ(軸長)Ｌ４が、間隔Ｌ２より短いため、ロールペーパー２００の下端２００ｂと下側ロールタオル保持部１５との間に隙間Ｇが生じ、ロールペーパー２００を垂直にすることができる（図３（ｂ））。
最後に、ロールペーパー２００を下側に押し付け、ロールペーパー２００の下端２００ｂ側の巻芯２００ｃを下側ロールタオル保持部１５に挿入すると、ロールペーパー２００の下端２００ｂがベース部１０の内面１０ａに載置される（図３（ｃ））。
このようにして、図４に示すように、ロールペーパー２００をロールペーパーホルダ１００に収納することができる。
【００１８】
さらに、このとき、上側ロールタオル保持部１６はロールペーパー２００の巻芯２００ｃによって外側（本体部１２と反対側）に広げられ、弾性力によって反発してロールペーパー２００の巻芯２００ｃを本体部１２側に押圧するように撓む(図３（ｃ）の矢印)。その結果、上側ロールタオル保持部１６がロールペーパー２００の外面を本体部１２に押し付けるので、ロールペーパー２００をミシン目でカットする際にロールペーパー２００が回転し難く、ロールペーパー２００を押さえなくともカットがし易い。特に、本体部１２をロールペーパー側に向かって凸状に湾曲させると、この湾曲部（本実施形態では中央部１２ｃ）がロールペーパー２００に接するので、ロールペーパー２００を押さえる効果が大きいと共に、使用によりロールペーパー２００が小径となっても確実にロールペーパー２００を湾曲部で押さえることができる。
なお、上側ロールペーパー保持部１６の先端１６ａを、水平方向（上下方向に垂直な方向）に３０ｍｍ弾性変形させるときの応力が１〜６Ｎであると、上側ロールペーパー保持部１６を撓ませ易いと共に、適度な弾性力でロールペーパー２００の外面を本体部１２に押し付けることができる。
【００１９】
さらに、本体部１２をロールペーパー側に向かって凸状に湾曲させると、この湾曲部（中央部１２ｃ）が本体部１２の前方側に位置するので、本体部１２全体の重心が前方に移動してベース部１０の重心に近くなる。その結果、ベース部１０を自立させてロールペーパーホルダ１００を縦置きした場合に、ロールペーパーホルダ１００を安定して立たせることができる。
【００２０】
以上のように、本実施形態によれば、キッチンタオル等のロールペーパーを縦置きにして設置スペースを低減する。さらに、ロールペーパーを縦置きにすれば、引き出したペーパーを下方向に引いてミシン目で切断する形となるので切断力がペーパー上部に集中し、ロール端面に手を添えるだけで比較的小さな力で切断でき、ロールペーパーのカットがし易くなる。又、ロールペーパーの巻芯で下方向から上側ロールタオル保持部に挿入するだけでロールペーパーを容易に取付けることができる。
【００２１】
又、本実施形態においては、長さＬ１が間隔Ｌ２の１／２以上になっている。つまり、ロールペーパーホルダ１００の上下方向の内面の間隔Ｌ２よりやや短い軸長を有するロールペーパーから、上側ロールタオル保持部１６の先端１６ａとベース部１０の内面１０ａとの間隔Ｌ３よりやや軸長の長いロールペーパーまで、種々の軸長のロールペーパーを１つのロールペーパーホルダ１００で取り付けることができる。
例えば、間隔Ｌ２を２９０ｍｍ程度とし、Ｌ１を１７０ｍｍ程度とすれば、通常使用される軸長９インチ（約２２５ｍｍ）〜１１インチ（約２７５ｍｍ）までの種々のロールペーパーを取り付けることができる。
なお、図３（ｃ）において、上側ロールタオル保持部１６の先端１６ａがロールペーパー２００の巻芯２００ｃを本体部１２側に押圧することから、この押圧部分が本体部１２の湾曲部（本実施形態では中央部１２ｃ）となるよう、先端１６ａと湾曲部（中央部１２ｃ）とを近接させるとよい。
【００２２】
図５は、ロールペーパーホルダ１００の底面図である。本実施形態では、下側ロールタオル保持部１５の半円筒部を本体部１２側に向けているので、この半円筒部をロールペーパー２００の巻芯２００ｃの内面に沿わせ、ロールペーパー２００の回転をスムースにすることができる。
なお、図６に示すように、ベース部１０から突出する取付部１０ｔに、ヒンジ３５ａで下側ロールタオル保持部３５が軸支され、ベース部１０に対して下側ロールタオル保持部３５が可倒式に(図６の矢印参照)取り付けられてもよい。この場合、ロールペーパー２００の下端でロールタオル保持部３５を本体部１２側に押すとロールタオル保持部３５が本体側に倒れるので、ロールペーパー２００の巻芯２００ｃに下側ロールタオル保持部３５を容易に挿入することができ、挿入後には内蔵されたバネの作用により図６に示す状態に復元しロールタオルを保持する。
【００２３】
本発明は上記した実施形態に限定されず、本発明の思想と範囲に含まれる様々な変形及び均等物に及ぶことはいうまでもない。
例えば、吸盤２０の代わりにマグネットやフック等を本体部１２に取り付け、壁面等の垂直面の取付対象に本体部１２を固定してもよい。又、ベース部１０の下面に脚等を設け、ロールペーパー２００の下端を接地面から離して汚れ等の付着を防止するようにしてもよい。
ロールペーパーホルダを一体成形する場合に用いる樹脂は、加工適性、強度、耐久性に応じて任意の種類のものを選択できるが、例えばポリプロピレン、ABS樹脂、メタクリル酸メチル樹脂、ポリカーボネートが挙げられる。
【符号の説明】
【００２４】
１０                      ベース部
１０ａ                    ベース部の内面
１２                      本体部
１２ａ，１２ｂ            本体部の端部
１４                      トップ部
１４ａ                    トップ部の内面
１５，３５                下側ロールペーパー保持部
１６                      上側ロールペーパー保持部
Ｌ１                      上側ロールペーパー保持部の先端からトップ部の内面までの長さ
Ｌ５                      下側ロールペーパー保持部の長さ
１００                    ロールペーパーホルダ
２００                    ロールペーパー
２００ａ，２００ｂ        ロールペーパーの端部
２００ｃ                  ロールペーパーの巻芯
【図１】
0005791175.tif 000002
【図２】
0005791175.tif 000003
【図３】
0005791175.tif 000004
【図４】
0005791175.tif 000005
【図５】
0005791175.tif 000006
【図６】
0005791175.tif 000007